(57)【特許請求の範囲】
【請求項１】
撮影光学系の少なくとも一部を形成し、前記撮影光学系の光軸に略直交するブレ補正方向に移動して像ブレを補正するブレ補正レンズ群と、
前記ブレ補正レンズ群を保持するブレ補正レンズ群保持部材と、
を備え、
前記撮影光学系の光軸に沿った方向の全長が撮影可能状態よりも短い収納状態となるように前記撮影光学系の少なくとも一部を移動することができるレンズ鏡筒において、
前記ブレ補正レンズ群の前記ブレ補正方向の可動範囲を制限するブレ補正可動範囲制限部と、
前記撮影可能状態から前記収納状態へ前記撮影光学系の少なくとも一部が移動する収納動作時に前記ブレ補正レンズ群との相対的な位置が変化し、前記収納状態では、前記ブレ補正レンズ群及び／又は前記ブレ補正レンズ群保持部材の少なくとも一部である挿入部が挿入される開口部を有した開口ユニットと、
を備え、
前記撮影光学系の光軸方向から見た場合に、前記ブレ補正レンズ群の可動範囲内における前記挿入部の可動範囲は、前記開口部内にあって、前記開口部の開口範囲よりも狭い範囲であること、
を特徴とするレンズ鏡筒。
【請求項２】
請求項１に記載のレンズ鏡筒において、
前記開口ユニットは、前記撮影可能状態において前記開口部の一部又は全部を遮光部材により閉塞する光量調整部であること、
を特徴とするレンズ鏡筒。
【請求項３】
請求項２に記載のレンズ鏡筒において、前記遮光部材の少なくとも一部は、前記収納状態において前記光軸に略直交する方向で退避して前記開口部の開口範囲を広げること、
を特徴とするレンズ鏡筒。
【請求項４】
請求項１から請求項３までのいずれか１項に記載のレンズ鏡筒において、
前記収納動作時には、前記ブレ補正レンズ群の駆動制御を行わないこと、
を特徴とするレンズ鏡筒。
【発明の詳細な説明】
【技術分野】
【０００１】
本発明は、像ブレを補正するブレ補正レンズ群を含み、撮影可能状態よりも小型の収納状態とすることができるカメラ等のレンズ鏡筒に関するものである。
【背景技術】
【０００２】
像面のブレを補正するブレ補正機構を搭載したカメラや交換レンズの製品が発売されている。ブレ補正機能には、様々な方式が存在するが、複数のレンズ群における一部を光軸に対して直交する方向へシフト移動させる方式が標準的に用いられている。この方式では、ブレ補正レンズ群のシフト移動をガイドする手段として、例えば、鋼球を利用した方式がある。この場合には、精度良くレンズ群のシフト移動を行うためには、何らかの手段でシフト移動させるレンズ群を鋼球へと押し付ける力が必要となり、例えば、鋼球の台座を備えたホルダ部材等とレンズ群のホルダの間を引張コイルバネで付勢してガタを取り、スムーズかつ高精度なシフト移動を実現している。
【０００３】
一方でカメラの小型化に対する需要がある。この点に関しては従来のカメラボディに鏡筒を収納、沈胴させる方式の銀塩コンパクトカメラ、及び、これに似た形態のデジタルスチルカメラの場合には、製品の厚さを決定する主要因はレンズ鏡筒の収納状態での光軸方向の長さである。レンズ鏡筒の収納状態での光軸方向の長さを短くする技術として、特許文献１及び特許文献２には、従来は収納時に閉じられていたシャッタ羽根又は可変絞り羽根等の光量制御用の部材を開放にし、その空間にレンズ群の一部を収納するものが開示されている。
【０００４】
しかし、特許文献１及び特許文献２に記載された技術では、撮影状態から収納状態へと動作した際に、ブレ補正レンズ群のシフト方向の位置が問題となる。
ブレ補正機構を持たないレンズ鏡筒では、シャッタユニット又は可変絞りユニット等の開放された空間に収納されるレンズ群はシフト移動を行わないため、撮影レンズの光軸を中心とした開口サイズを設定すればよい。しかし、ブレ補正レンズ群は、シフト移動するため、開口サイズを同様に設定してしまうと、収納動作時にブレ補正レンズ群又はそれを保持する部材とシャッタユニット又は可変絞りユニット等とが衝突してしまい、収納状態にできないという問題が生じる。
この問題に対しては、ブレ補正レンズ群の光軸中心を、撮影レンズの光軸中心に予め合せるロック機構を用いることで解決可能ではあるが、ロック機構の収納スペースが必要であり、その分小型化が困難であったり、部品点数の増加によりコストアップしたりするという問題があった。
【特許文献１】特開２００４−３４７６１５号公報
【特許文献２】特開２００４−１８４８１１号公報
【発明の開示】
【発明が解決しようとする課題】
【０００５】
本発明の課題は、像ブレを補正するブレ補正レンズ群を含み、収納状態を小型にすることができ、かつ、部品点数の少ないレンズ鏡筒を提供することである。
【課題を解決するための手段】
【０００６】
前記課題を解決するために、請求項１の発明は、撮影光学系の少なくとも一部を形成し、前記撮影光学系の光軸に略直交するブレ補正方向に移動して像ブレを補正するブレ補正レンズ群と、前記ブレ補正レンズ群を保持するブレ補正レンズ群保持部材と、を備え、前記撮影光学系の光軸に沿った方向の全長が撮影可能状態よりも短い収納状態となるように前記撮影光学系の少なくとも一部を移動することができるレンズ鏡筒において、前記ブレ補正レンズ群の前記ブレ補正方向の可動範囲を制限するブレ補正可動範囲制限部と、前記撮影可能状態から前記収納状態へ前記撮影光学系の少なくとも一部が移動する収納動作時に前記ブレ補正レンズ群との相対的な位置が変化し、前記収納状態では、前記ブレ補正レンズ群及び／又は前記ブレ補正レンズ群保持部材の少なくとも一部である挿入部が挿入される開口部を有した開口ユニットと、を備え、前記撮影光学系の光軸方向から見た場合に、前記ブレ補正レンズ群の可動範囲内における前記挿入部の可動範囲は、前記開口部内にあって、前記開口部の開口範囲よりも狭い範囲であること、を特徴とするレンズ鏡筒である。
請求項２の発明は、請求項１に記載のレンズ鏡筒において、前記開口ユニットは、前記撮影可能状態において前記開口部の一部又は全部を遮光部材により閉塞する光量調整部であること、を特徴とするレンズ鏡筒である。
請求項３の発明は、請求項２に記載のレンズ鏡筒において、前記遮光部材の少なくとも一部は、前記収納状態において前記光軸に略直交する方向で退避して前記開口部の開口範囲を広げること、を特徴とするレンズ鏡筒である。
請求項４の発明は、請求項１から請求項３までのいずれか１項に記載のレンズ鏡筒において、前記収納動作時には、前記ブレ補正レンズ群の駆動制御を行わないこと、を特徴とするレンズ鏡筒である。
【発明の効果】
【０００７】
本発明によれば、以下の効果を奏することができる。
請求項１の発明によれば、撮影光学系の光軸方向から見た場合に、ブレ補正レンズ群の可動範囲内における挿入部の可動範囲は、開口部内にあって、開口部の開口範囲よりも狭い範囲であるので、収納動作時にブレ補正レンズ群を制御しなくとも、挿入部が確実に開口部内に挿入できる。
請求項２の発明によれば、開口ユニットは、撮影可能状態において開口部の一部又は全部を遮光部材により閉塞する光量調整部であるので、収納状態で不要となる空間を有効に利用して収納状態をより小型にできる。
請求項３の発明によれば、遮光部材の少なくとも一部は、収納状態において光軸に略直交する方向で退避して開口部の開口範囲を広げるので、収納状態をさらに小型にできる。
請求項４の発明によれば、収納動作時には、ブレ補正レンズ群の駆動制御を行わないので、必要な消費電力を下げることができ、動作が安定し、また、電池寿命を長くできる。
【発明を実施するための最良の形態】
【０００８】
本発明は、像ブレを補正するブレ補正レンズ群を含み、収納状態を小型にすることができ、かつ、部品点数を少なくするという目的を、ブレ補正レンズ群の可動範囲を制限するブレ補正可動範囲制限部を利用したり、収納動作時にブレ補正レンズ群の光軸中心を開口部材の開口中心の方向へと案内するガイド部を設けたりすることにより実現した。
【実施例１】
【０００９】
図１は、レンズ鏡筒１Ａの沈胴状態を示す断面図である。
図２は、レンズ鏡筒１Ａの撮影可能状態を示す断面図である。
図３は、図２中に示したＡ−Ａ断面図である。
なお、図１及び図２は、図３中に示したＢ−Ｂ断面図となっている。
図４は、図３中に示したＣ−Ｃ断面における沈胴状態を示す図である。
図５は、図３中に示したＣ−Ｃ断面における撮影可能状態を示す図である。
図１，図２，図４，図５において、図中の左方向がカメラの前面方向（被写体方向）である。
実施例１のレンズ鏡筒１Ａは、例えば、レンズ非交換式のデジタルスチルカメラの撮影用レンズ鏡筒として用いられ、撮影可能状態から、光軸方向の全長を縮めた沈胴状態（収納状態）とすることができる沈胴式のレンズ鏡筒である。
レンズ鏡筒１Ａは、撮影光学系として、第１レンズ群１０１，ＶＲレンズ群（第２レンズ群）１０２，第３レンズ群１０３，光学フィルタ１０４を備えており、これらを通過した被写体像が撮像素子１０５に結像され、撮影される。
また、レンズ鏡筒１Ａは、第１群筒１０、直進ガイド部材３０３、回転カム筒３０４、固定筒３０５、撮像素子固定部材３０７、シャッタ絞りユニット４００等を備えている。
【００１０】
第１レンズ群１０１は、１群レンズ室３０１に保持されており、この１群レンズ室３０１は、第１群筒１０に保持されている。
ＶＲ（Vibration  Reduction）レンズ群１０２は、撮影光学系の光軸Ｏに直交する方向へシフト移動することにより像ブレを補正するブレ補正レンズ群であって、ＶＲ群レンズ室（ブレ補正レンズ群保持部材）３に保持されている。
第３レンズ群１０３は、３群レンズ室３０８に保持されている。
光学フィルタ１０４は、モアレ等を防止するローパスフィルタ等の機能を有したフィルタであり、撮像素子固定部材３０７に固定されている。
撮像素子１０５は、撮像素子固定部材３０７に固定され、その撮像面に結像した像を電気信号に変換し、不図示の画像処理部に画像データを伝える。
【００１１】
固定筒３０５は、撮像素子固定部材３０７に固定されている。
回転カム筒３０４は、その外周に設けられたカムピン部３０４ａが固定筒３０５の内周に設けられたカム溝３０５ａに係合している筒状の部材である。また、回転カム筒３０４の外周には、ギヤ部３０４ｂが設けられている。このギヤ部３０４ｂは、ギヤ軸３１２を介して固定筒３０５に対して回転可能に設けられたギヤ３１３と噛み合っており、不図示の鏡筒駆動部によりギヤ３１３に与えられた回転駆動力は、回転カム筒３０４に伝えられる。
回転カム筒３０４に回転駆動力が伝えられると、カムピン部３０４ａとカム溝３０５ａとの係合により、回転カム筒３０４は、回転しながら光軸Ｏに平行に進退する。
また、回転カム筒３０４の内周には、１群筒１０の外周に設けられた不図示のカムピンが係合する不図示のカム溝と、ＶＲ群レンズホルダ２の外周に設けられたカムピン２ａが係合するカム溝３０４ｃが設けられている。
【００１２】
１群筒１０は、上述した外周のカム係合により回転カム筒３０４の内周に挿入されているほか、内周に直進ガイド部１０ａを有し、この直進ガイド部１０ａが直進ガイド部材３０３と係合している。
また、１群レンズ１０１の被写体側には、収納状態においてレンズを保護するバリア機構３０２が備えられており、収納状態では閉じ、撮影状態では開く機構となっている。
【００１３】
直進ガイド部材３０３は、外周に設けられた係合部３０３ａが回転カム筒３０４の内周と光軸方向において係合している。また、直進ガイド部材３０３は、不図示の部分が固定筒３０５の内周に設けられた不図示の直進ガイド溝に係合している。したがって、直進ガイド部材３０３は、回転カム筒３０４の回転を伴う光軸方向に沿った移動とともに光軸方向に移動するが、そのときに回転をすることはない。
この直進ガイド部材３０３には、上述した１群筒１０と、後述するＶＲ群レンズホルダ２が係合しているので、これら１群筒１０とＶＲ群レンズホルダ２は、ともに固定筒に対して回転しないようになっている。これにより、回転カム筒３０４が回転することで、１群筒１０とＶＲ群レンズホルダ２は、回転することなく光軸Ｏに平行に進退可能となっている。
３群レンズ室３０８は、３群ガイドバー３１１によって固定筒３０５に対して進退可能に案内されており、３群モータ３１０により駆動される送りねじ３１０ａに組みつけられたナット部材３０９により光軸Ｏに平行に移動する。
【００１４】
ＶＲ群レンズホルダ２は、外周にカムピン２ａが設けられており、このカムピン２ａが回転カム筒３０４のカム溝３０４ｃに係合している。また、ＶＲ群レンズホルダ２は、直進ガイド部材３０３に直進ガイドされている。したがって、ＶＲ群レンズホルダ２は、回転カム筒３０４から駆動力を得て光軸Ｏに平行に回転することなく進退する。
ＶＲ群レンズホルダ２には、ＶＲレンズ群１０２の位置を検出する位置検出センサ２０２が固定されており、ＶＲ群レンズ室３に固定された磁石２０３の磁界によって変化する信号を検出することでＶＲ群レンズ室３の位置を検出する。
【００１５】
ＶＲ群レンズホルダカバー６は、ＶＲ群レンズホルダ２に固定されており、ブレ補正アクチュエータ用磁石２０６とブレ補正アクチュエータ用強磁性体２０７が組み付けられている。このブレ補正アクチュエータ用磁石２０６とブレ補正アクチュエータ用強磁性体２０７によって形成される磁界内に、ＶＲ群レンズ室３に固定されたブレ補正アクチュエータ用コイル２０５が配置されており、ブレ補正アクチュエータ用コイル２０５への通電を制御することでＶＲ群レンズ室３を光軸Ｏと垂直な方向へとシフト移動させることができる。ＶＲ群レンズ室３とＶＲ群レンズホルダ２との間には、鋼球５が挟まれて配置されており、ＶＲ群レンズ室３とＶＲ群レンズホルダ２とが近づく方向に引っ張りコイルバネ１２により付勢されている。これにより、ＶＲ群レンズ室３の光軸Ｏに垂直な方向へのシフト移動は、高精度かつスムーズに行える。
【００１６】
ブレ補正アクチュエータ用コイル２０５，位置検出センサ２０２等のＶＲ群レンズ室３（ＶＲレンズ群１０２）をブレ補正駆動するときに関係する部位は、光軸Ｏに垂直な面内で互いに直交する２方向に配置されている（図３参照）。よって、ＶＲ群レンズ室３（及びＶＲレンズ群１０２）は、光軸Ｏに垂直な面内で自在に制御されてブレ補正駆動される。
ただし、ＶＲ群レンズ室３の移動可能な範囲は、メカニカルリミットとも呼ばれるブレ補正可動範囲制限部により物理的に移動可能な範囲が制限されている。具体的には、ブレ補正可動範囲制限部は、ＶＲ群レンズ室３の撮像素子側に設けられた円筒外周面３１と、ＶＲ群レンズホルダ２に円筒外周面３１よりも大きな径で開口された円筒内周面２１を有しており、円筒内周面２１に円筒外周面３１が当たる位置までがＶＲ群レンズ室３の移動可能な範囲となっている。
【００１７】
また、ＶＲ群レンズホルダ２には、ガイドバー７，８が固定されている。
ガイドバー７，８は、光軸Ｏに平行に延在しており、後述のシャッタ絞りユニット４００を光軸Ｏに平行な方向に移動可能に支持する部材である。ガイドバー７，８の対物側先端には、シャッタ絞りユニット４００の撮影可能状態の位置を決めるガイドバー留めリング９が取り付けられている。
【００１８】
シャッタ絞りユニット４００は、その開口部４０１を閉塞可能な遮光部材であるシャッタ絞り部材１１を有し、シャッタの機能と、絞りの機能とを併せ持った光量調整部（開口ユニット）である。シャッタ絞りユニット４００は、シャッタ絞り部材１１を撮影光学系の光路中に進退可能であり、開口部４０１の一部をシャッタ絞り部材１１により閉塞した状態が、光束を絞った状態でシャッタを開けた状態であり、開口部４０１の全部をシャッタ絞り部材１１により閉塞した状態が、シャッタを閉じた状態である。また、後述する収納状態では、開口部４０１からシャッタ絞り部材１１を完全に退避した状態とすることができる。
【００１９】
シャッタ絞りユニット４００は、光軸Ｏに平行に移動可能なようにガイドバー７，８に対して取り付けられている。
ガイドバー７，８のシャッタ絞りユニット４００とＶＲ群レンズホルダ２との間には、圧縮コイルバネ４が組みつけられており、シャッタ絞りユニット４００は、被写体方向へ付勢されている。したがって、撮影状態では、シャッタ絞りユニット４００は、ガイドバー留めリング９に当て付く位置まで移動している（図５参照）。一方、収納状態では、シャッタ絞りユニット４００は、図４中のＤ部に示したように第１群筒１０の一部により押され、圧縮コイルバネ４をチャージしながらＶＲ群レンズホルダ２へと接近する位置へ移動する。
【００２０】
撮影可能状態から収納状態へ移動するときには、シャッタ絞りユニット４００は、開口部４０１からシャッタ絞り部材１１を完全に退避した状態となる。そして、上述したように第１群筒１０の一部により押され、ＶＲ群レンズホルダ２へと接近する位置へ移動する。そうすると、ＶＲレンズ群１０２及びＶＲ群レンズ室３も接近するが、開口部４０１からシャッタ絞り部材１１が完全に退避しているので、この開口部４０１内にＶＲレンズ群１０２及びＶＲ群レンズ室３の一部（以下、この挿入される部分を挿入部３２と呼ぶ）が挿入されることから、収納時のレンズ鏡筒の全長を短くできる。
【００２１】
ここで、図１及び図４では、収納状態におけるＶＲレンズ群１０２の光軸ＯVR（図６参照）は、撮影光学系の光軸Ｏと同軸にある状態で示しているが、実際にはこれらは、同軸とならない場合が普通である。
図６は、収納状態をより現実に近い状態で示した図である。
収納状態では、ブレ補正アクチュエータ用コイル２０５への通電は行われておらず、ＶＲレンズ群１０２及びＶＲ群レンズ室３の駆動制御は行われていない。そうすると、ＶＲレンズ群１０２及びＶＲ群レンズ室３は、自重によって重力が作用する方向へ移動する（落ちる）。
また、本実施例のレンズ鏡筒１Ａでは、撮影可能状態から収納状態へと変化させる収納動作時には、後述する消費電力の観点から、ブレ補正アクチュエータ用コイル２０５への通電を行わないようになっている。したがって、ＶＲレンズ群１０２及びＶＲ群レンズ室３が自重によって重力が作用する方向へ移動したまま収納動作を行っても、ＶＲレンズ群１０２及びＶＲ群レンズ室３の挿入部３２がシャッタ絞りユニット４００の開口部４０１に挿入される必要がある。
そこで、本実施例では、円筒内周面２１に円筒外周面３１が当たる位置にＶＲ群レンズ室３が移動していても、ＶＲレンズ群１０２及びＶＲ群レンズ室３の挿入部３２が挿入可能な大きさの開口部４０１をシャッタ絞りユニット４００に設けている。
【００２２】
図７は、ブレ補正可動範囲制限部と挿入部３２及び開口部４０１の寸法関係を光軸方向から見て誇張して示した図である。
図７（ａ）は、図１及び図４のように収納状態におけるＶＲレンズ群１０２の光軸ＯVR（図６参照）が、撮影光学系の光軸Ｏと同軸にある状態を示している。一方、図７（ｂ）では、図６のように円筒内周面２１に円筒外周面３１が当たる位置にＶＲ群レンズ室３が移動した状態を示している。図７（ｂ）中には、ブレ補正可動範囲制限部（円筒内周面２１及び円筒外周面３１）により制限されるＶＲレンズ群１０２の可動範囲内における挿入部３２の可動範囲を破線Ｍで示している。本実施例では、ＶＲレンズ群１０２の可動範囲内における挿入部３２の可動範囲Ｍは、開口部４０１内にあって、開口部４０１の開口範囲よりも狭い範囲となるように、円筒内周面２１，円筒外周面３１，挿入部３２，開口部４０１の内径及び外径寸法が設定されている。
【００２３】
仮に、撮影可能状態から収納状態へと変化させる収納動作時に、各レンズ群を移動させる不図示のモータを駆動させながら、さらに、ブレ補正アクチュエータ用コイル２０５への通電を行うと、消費電力が異常に高くなってしまう。
ブレ補正アクチュエータ用コイル２０５の消費電力は大きく、しかも２方向設けられていることから、ＶＲレンズ群１０２及びＶＲ群レンズ室３の駆動制御には、大量の電力を消費してしまう。したがって、ＶＲレンズ群１０２及びＶＲ群レンズ室３の駆動制御とともにそのほかのモータ等を同時駆動するように設定してしまうと、電池の消耗が激しく、また、最低限必要とする電力が大きくなることから電池残量確認の閾値も高いレベルとする必要がある。
しかし、本実施例では、可動範囲Ｍは、開口部４０１内にあって、開口部４０１の開口範囲よりも狭い範囲にあるので、収納動作時にＶＲレンズ群１０２及びＶＲ群レンズ室３の駆動制御を行ってセンタリング動作等をしなくても、挿入部３２が開口部４０１のまわりのシャッタ絞りユニット４００に衝突してしまうことがなく、収納動作を確実かつ円滑に行え、収納状態における全長を短くできる。
【実施例２】
【００２４】
実施例１では、簡単な構成により収納動作を確実かつ円滑に行え、収納状態における全長を短くできるレンズ鏡筒を示した。しかし、実施例１では、開口部４０１の開口範囲（最小内径）を広げる必要があり、レンズ鏡筒の径方向の寸法に開口範囲を広げることができる余裕が必要であった。
そこで、実施例２では、レンズ鏡筒の径方向の寸法に余裕が少ない場合であっても適用可能な形態として、一部の形状を改良したシャッタ絞りユニット４２０を採用した。この実施例２は、シャッタ絞りユニット４２０の他は、前述した実施例１と同様な形態をしている。したがって、以下の説明では、同様の機能を果たす部分には、実施例１と同一の符号を付して、重複する説明を適宜省略する。
【００２５】
図８は、実施例２のレンズ鏡筒１Ｂの収納状態を示す断面図である。
実施例２のシャッタ絞りユニット４２０は、その撮像素子側の面と開口部４２１との稜線が形成される部分に、円錐面の一部形状である斜面４２が全周にわたって設けられている。この斜面４２は、収納動作時であってＶＲ群レンズ室３の移動可能な範囲の限界位置（円筒内周面２１に円筒外周面３１が当たる位置）にＶＲ群レンズ室３があるときに、挿入部３２の角３２ａが当接する部分に設けられている。そして、この斜面４２は、収納動作時にＶＲレンズ群１０２の光軸ＯVRがシャッタ絞りユニット４２０の開口部４２１の開口中心の方向へと移動するように案内するガイド部として機能する。
【００２６】
図９は、実施例２のレンズ鏡筒１Ｂの収納動作の過程を示す図である。
図９（ａ）は、収納動作の開始直後の状態を示しており、この状態で既にブレ補正アクチュエータ用コイル２０５への通電は行われておらず、ＶＲレンズ群１０２及びＶＲ群レンズ室３の駆動制御は行われていない。よって、ＶＲレンズ群１０２及びＶＲ群レンズ室３は、自重によって重力が作用する方向へ移動し、円筒内周面２１に円筒外周面３１が当たる位置にある。
図９（ｂ）の状態となると、シャッタ絞りユニット４２０は、第１群筒１０の一部により押されてＶＲレンズ群１０２及びＶＲ群レンズ室３に接近し、挿入部３２の角３２ａが斜面４２に当接する。そうすると、この斜面４２の作用によってＶＲレンズ群１０２及びＶＲ群レンズ室３は、開口部４２１の中心方向へガイドされて移動する。
図９（ｃ）の状態となると、挿入部３２は、完全に開口部４２１内に挿入される。そして、このときには、挿入部３２が開口部４２１の内周面に当接していることから、円筒外周面３１は、円筒内周面２１から離れている。
実施例２によれば、斜面４２を設けたので、開口部４２１の開口径を実施例１の場合に比べてさらに小さくできる。したがって、収納状態における全長が短い上に、径方向の寸法も小型のレンズ鏡筒とできる。
【実施例３】
【００２７】
実施例２では、斜面４２を設け、収納状態において開口部４２１の内周面により挿入部３２を支える例を示した。しかし、開口部の内周面により挿入部を支えることができない場合がある。実施例３は、そのような場合にも対応可能な実施例である。
なお、実施例３は、シャッタ絞りユニット４３０を改良し、新たにガイド孔３３，ガイド軸４３を設けた点のみが実施例１に対して異なり、その他は、前述した実施例１と同様な形態をしている。したがって、以下の説明では、同様の機能を果たす部分には、実施例１と同一の符号を付して、重複する説明を適宜省略する。
【００２８】
図１０は、実施例３のレンズ鏡筒１Ｃの収納状態を示す断面図である。
実施例３のシャッタ絞りユニット４３０は、実施例１のシャッタ絞り部材１１と同様な可動絞りの他に、固定絞り４１１を有している。
固定絞り４１１は、シャッタ絞り部材１１のように移動することはなく、撮影光学系の開放絞りの開口径を形成した状態で固定されている。したがって、固定絞り４１１は、開口部４３１の内周面から突出した状態のまま固定されている。固定絞り４１１を設ける理由としては、開放絞り時の開口径の寸法を精度よくできるということが挙げられる。
しかし、固定絞り４１１が開口部４３１の内周面から突出した状態となっているので、実施例２の手法を適用すると、挿入部３２が固定絞り４１１に衝突してしまう。
【００２９】
そこで実施例３では、ガイド部として、ガイド孔３３及びガイド軸４３を新たに設けた。
ガイド孔３３は、ＶＲ群レンズ室３に開口された貫通穴であって、被写体側の稜線部分は、面取り処理がなされている。
ガイド軸４３は、シャッタ絞りユニット４３０の撮像素子１０５側に、撮影光学系の光軸Ｏと平行に設けられており、その撮像素子１０５側の先端は、円錐面が形成されている。このガイド軸４３は、シャッタ絞りユニット４３０を構成する部材に一体成型により形成すれば、部品点数を増やす必要が無い。
【００３０】
図１１は、実施例３のレンズ鏡筒１Ｃの収納動作の過程を示す図である。
図１１（ａ）は、収納動作の開始直後の状態を示しており、この状態で既にブレ補正アクチュエータ用コイル２０５への通電は行われておらず、ＶＲレンズ群１０２及びＶＲ群レンズ室３の駆動制御は行われていない。よって、ＶＲレンズ群１０２及びＶＲ群レンズ室３は、自重によって重力が作用する方向へ移動し、円筒内周面２１に円筒外周面３１が当たる位置にある。
また、図１１（ａ）の状態を含む撮影可能状態において、ガイド軸４３は、ガイド孔３３にその先端部分が挿入された状態となっている。ただし、図１１（ａ）では判りにくいが、ガイド軸４３とガイド孔３３とは、接触していない。
【００３１】
図１１（ｂ）の状態となると、シャッタ絞りユニット４３０は、第１群筒１０の一部により押されてＶＲレンズ群１０２及びＶＲ群レンズ室３に接近する。そうすると、ガイド孔３３とガイド軸４３とが接触し、ガイド孔３３がガイド軸４３の円錐面にガイドされることにより、ＶＲレンズ群１０２及びＶＲ群レンズ室３は、開口部４３１の中心方向へガイドされて移動する。
【００３２】
図１１（ｃ）の状態となると、挿入部３２は、完全に開口部４３１内に挿入される。そして、このときには、ガイド孔３３とガイド軸４３とが接触する位置は、ガイド軸４３の円錐面を過ぎて円筒面となっており、その状態では、ＶＲレンズ群１０２の光軸ＯVRは、撮影光学系の光軸Ｏと略同軸となっている。したがって、挿入部３２は、開口部４３１の内周面と接触することなく、また、固定絞り４１１とも接触していない。
実施例３によれば、ガイド孔３３とガイド軸４３とを設けたので、開口部４３１の開口径を実施例１の場合に比べてさらに小さくでき、また、収納状態において挿入部３２が開口部４３１の内周面と接触しない。したがって、固定絞り４１１のような突出部分を開口部４３１の内周面に設けても、それらを破損することなく、収納状態における全長が短い上に、径方向の寸法も小型のレンズ鏡筒とできる。
【００３３】
（変形例）
以上説明した実施例に限定されることなく、種々の変形や変更が可能であって、それらも本発明の均等の範囲内である。
（１）各実施例において、デジタルスチルカメラのレンズ鏡筒を例に挙げて説明したが、これに限らず、例えば、動画撮影を主な目的とするビデオカメラのレンズ鏡筒に本発明を適用してもよいし、フィルムを記録媒体とするいわゆる銀塩カメラに本発明を適用してもよい。
【００３４】
（２）各実施例において、開口ユニットとして、光量調整部であるシャッタ機能と絞り機能とを備えたシャッタ絞りユニットの例を挙げて説明したが、これに限らず、例えば、シャッタ機能、絞り機能のいずれか一方のみを備えた光量調整部であってもよい。また、開口ユニットとしては、光量調整部である必要もなく、例えば、レンズ鏡筒の駆動に必要な機構を構成する部材であってもよいし、電気部品が実装された回路基板であってもよい。
【００３５】
（３）実施例２において、挿入部３２の角３２ａは、通常の稜線となっている例を示したが、これに限らず、例えば、斜面を設けてもよい。
【図面の簡単な説明】
【００３６】
【図１】レンズ鏡筒１Ａの沈胴状態を示す断面図である。
【図２】レンズ鏡筒１Ａの撮影可能状態を示す断面図である。
【図３】図２中に示したＡ−Ａ断面図である。
【図４】図３中に示したＣ−Ｃ断面における沈胴状態を示す図である。
【図５】図３中に示したＣ−Ｃ断面における撮影可能状態を示す図である。
【図６】収納状態をより現実に近い状態で示した図である。
【図７】ブレ補正可動範囲制限部と挿入部３２及び開口部４０１の寸法関係を光軸方向から見て誇張して示した図である。
【図８】実施例２のレンズ鏡筒１Ｂの収納状態を示す断面図である。
【図９】実施例２のレンズ鏡筒１Ｂの収納動作の過程を示す図である。
【図１０】実施例３のレンズ鏡筒１Ｃの収納状態を示す断面図である。
【図１１】実施例３のレンズ鏡筒１Ｃの収納動作の過程を示す図である。
【符号の説明】
【００３７】
３：ＶＲ群レンズ室、２１：円筒内周面、３１：円筒外周面、３２：挿入部、３３：ガイド孔、４２：斜面、４３：ガイド軸、１０２：ＶＲレンズ群、４００，４２０，４３０：シャッタ絞りユニット、４０１，４２１，４３１：開口部
【図１】
0004784208.tif 000002
【図２】
0004784208.tif 000003
【図３】
0004784208.tif 000004
【図４】
0004784208.tif 000005
【図５】
0004784208.tif 000006
【図６】
0004784208.tif 000007
【図７】
0004784208.tif 000008
【図８】
0004784208.tif 000009
【図９】
0004784208.tif 000010
【図１０】
0004784208.tif 000011
【図１１】
0004784208.tif 000012